(57)【特許請求の範囲】
【請求項１】
可動の家具部分（２，２２）のためのエジェクト装置（１，１０１，２０１）であって、閉鎖位置から開放位置に前記可動の家具部分（２，２２）をエジェクトするための少なくとも１つのエジェクトエレメント（３，２０３）と、前記閉鎖位置から前記開放位置への前記可動の家具部分（２，２２）のエジェクト時に前記少なくとも１つのエジェクトエレメント（３，２０３）に力を加えるための少なくとも１つのエジェクト蓄力器（４，２０４）と、前記少なくとも１つエジェクト蓄力器（４，２０４）による力荷重に抗して前記少なくとも１つのエジェクトエレメント（３，２０３）をロックするための少なくとも１つのロック装置（５，２０５）とが設けられており、前記少なくとも１つのロック装置（５，２０５）は、閉鎖方向（６）において前記閉鎖位置の背後に配置された過剰押圧位置への前記可動の家具部分（２，２２）の過剰押圧によってロック解除可能である、エジェクト装置（１，１０１，２０１）において、
前記少なくとも１つのロック装置（５，２０５）に作用結合されている少なくとも１つの切換えエレメント（７，２０７）が設けられており、該切換えエレメント（７，２０７）は、前記少なくとも１つのロック装置（５，２０５）がロック解除可能である少なくとも１つの作動位置と、前記少なくとも１つのロック装置（５，２０５）がロック解除不能である少なくとも１つの不作動位置とを有しており、前記少なくとも１つの切換えエレメント（７，２０７）は、前記閉鎖位置から前記開放位置への前記可動の家具部分（２，２２）のエジェクト時、および／または前記少なくとも１つのロック装置（５，２０５）のロック解除によって、前記少なくとも１つの不作動位置に可動である
ことを特徴とする、エジェクト装置（１，１０１，２０１）。
【請求項２】
前記切換えエレメント（７，２０７）は、直線的にスライド可能であり、かつ／または回転可能に支持されている、
請求項１記載のエジェクト装置（１，１０１，２０１）。
【請求項３】
連結装置（８，９，２０８，２０９）が設けられており、該連結装置（８，９，２０８，２０９）を介して前記少なくとも１つの切換えエレメント（７，２０７）は、前記少なくとも１つのエジェクトエレメント（３，２０３）に間接的にまたは直接的に連結可能である、
請求項１または２記載のエジェクト装置（１，１０１，２０１）。
【請求項４】
前記連結装置（８，９，２０８，２０９）は、連行体（８，２０８）およびストッパ輪郭（９，２０９）を含んでおり、前記ストッパ輪郭（９）は、内部に前記連行体（８）が可動に支持されている長孔として形成されている、
請求項３記載のエジェクト装置（１，１０１，２０１）。
【請求項５】
前記少なくとも１つのロック装置（５，２０５）は、少なくとも１つのロック解除装置（１０，１１０，２１０）を有しており、該少なくとも１つロック解除装置（１０，１１０，２１０）は、前記少なくとも１つの切換えエレメント（７，２０７）に前記少なくとも１つのロック解除装置（１０，１１０，２１０）を連結するための少なくとも１つの連結装置（１１，２１１）を含んでいる、
請求項１から４までのいずれか１項記載のエジェクト装置（１，１０１，２０１）。
【請求項６】
前記少なくとも１つのロック解除装置（１０，１１０，２１０）の前記少なくとも１つの連結装置（１１，２１１）は、少なくとも１つの接触箇所（１２，２１２）を有しており、前記少なくとも１つの連結装置（１１，２１１）は、前記少なくとも１つの作動位置において、前記少なくとも１つの接触箇所（１２，２１２）を介して前記少なくとも１つの切換えエレメント（７，２０７）に接触し、かつ前記少なくとも１つの不作動位置において、前記少なくとも１つの接触箇所（１２，２１２）において前記少なくとも１つの切換えエレメント（７，２０７）に接触しないように形成されている、
請求項５記載のエジェクト装置（１，１０１，２０１）。
【請求項７】
少なくとも１つの戻し装置（１３，１４，２１３，２１４，２１５）が設けられており、該少なくとも１つの戻し装置（１３，１４，２１３，２１４，２１５）を介して前記少なくとも１つの切換えエレメント（７，２０７）は、前記閉鎖位置から前記開放位置への前記可動の家具部分（２，２２）のエジェクト後、もしくは前記少なくとも１つのロック装置（５，２０５）のロック解除後に、前記少なくとも１つの不作動位置から前記少なくとも１つの作動位置に可動である、
請求項１から６までのいずれか１項記載のエジェクト装置（１，１０１，２０１）。
【請求項８】
前記少なくとも１つの戻し装置（１３，１４，２１３，２１４，２１５）は、タイマを含んでおり、該タイマを介して前記少なくとも１つの切換えエレメント（７，２０７）は、前記閉鎖位置から前記開放位置への前記可動の家具部分（２，２２）のエジェクト後、もしくは前記少なくとも１つのロック装置（５，２０５）のロック解除後に、時間的に遅らされて、前記少なくとも１つの不作動位置から前記少なくとも１つの作動位置に可動である、
請求項７記載のエジェクト装置（１，１０１，２０１）。
【請求項９】
前記タイマは、少なくとも１つの蓄力器（１３）と、前記少なくとも１つの蓄力器（１３）に抗して作用する少なくとも１つの緩衝器（１４）とを含んでいる、
請求項８記載のエジェクト装置（１，１０１，２０１）。
【請求項１０】
前記少なくとも１つの戻し装置（１３，１４，２１３，２１４，２１５）は、家具本体（１５）に対する前記可動の家具部分（２，２２）の相対位置を検知するための検知装置を含んでおり、かつ前記少なくとも１つの切換えエレメント（７，２０７）は、前記少なくとも１つの戻し装置（１３，１４，２１３，２１４，２１５）によって、設定された位置と前記検知装置によって検知された相対位置との関連において、前記少なくとも１つの不作動位置から前記少なくとも１つの作動位置に可動である、
請求項７または８または９記載のエジェクト装置（１，１０１，２０１）。
【請求項１１】
前記少なくとも１つのロック装置（５，２０５）は、
- 旋回可能に支持された少なくとも１つのレバーアーム（１６，２１６）を含んでおり、かつ／または
- 形状結合式および／または力結合式にロック可能である、
請求項１から１０までのいずれか１項記載のエジェクト装置（１，１０１，２０１）。
【請求項１２】
変換装置（１７，１８，２１７，２１８）が設けられており、該変換装置（１７，１８，２１７，２１８）は、前記少なくとも１つのエジェクト蓄力器（４，２０４）が作用するスライダ（３６，２３６）と前記少なくとも１つのエジェクトエレメント（３，２０３）との間に配置されており、前記変換装置は、前記スライダ（３６，２３６）に支持された少なくとも１つの転動体（１７，２１７）と前記少なくとも１つのエジェクトエレメント（３，２０３）に連結された少なくとも１つの調節輪郭（１８，２１８）とを含んでいて、該少なくとも１つの調節輪郭（１８，２１８）に沿って、前記少なくとも１つの転動体（１７，２１７）は可動であり、前記変換装置（１７，１８，２１７，２１８）は、前記スライダ（３６，２３６）の運動を前記少なくとも１つのエジェクトエレメント（３，２０３）の運動に変換し、かつ前記少なくとも１つのエジェクトエレメント（３，２０３）の運動を前記スライダ（３６，２３６）の運動に変換する、
請求項１から１１までのいずれか１項記載のエジェクト装置（１，１０１，２０１）。
【請求項１３】
前記可動の家具部分（２）は、フォールディングドアまたはフォールディングスライドドアとして形成されており、該フォールディングドアまたはフォールディングスライドドアは、少なくとも１つの第１の扉（１９）と少なくとも１つの第２の扉（２０）とを含んでおり、かつ前記少なくとも１つのエジェクトエレメント（３，２０３）は、前記フォールディングドアまたはフォールディングスライドドア（２）を、前記少なくとも２つの扉（１９，２０）が共通の閉鎖平面に配置されている閉鎖位置から、前記少なくとも２つの扉（１９，２０）が互いに１８０°とは異なる角度（２１）を成している開放位置にエジェクトするように形成されている、
請求項１から１２までのいずれか１項記載のエジェクト装置（１，１０１，２０１）。
【請求項１４】
前記エジェクト装置（１，１０１，２０１）は、前記第１の扉（１９）に前記エジェクト装置（１，１０１，２０１）を取り付けるための少なくとも１つの取付け具（４０，２４０）を有しており、かつ前記少なくとも１つのエジェクトエレメント（３，２０３）は、前記少なくとも１つの取付け具（４０，２４０）に支持されており、かつ前記少なくとも１つのエジェクトエレメント（３，２０３）は、少なくとも、前記閉鎖位置から前記開放位置への前記フォールディングドアまたはフォールディングスライドドア（２）の開放屈曲時に、前記第２の扉（２０）に前記少なくとも１つのエジェクトエレメント（３，２０３）を連結するための少なくとも１つの装置（２３，２４，２２３，２２４）を有している、
請求項１３記載のエジェクト装置（１，１０１，２０１）。
【請求項１５】
前記少なくとも１つのロック装置（５）は、ロック解除装置（１１０）を有しており、該ロック解除装置（１１０）を介して前記少なくとも１つのロック装置（５）は、当該エジェクト装置（１０１）の取付け時に、前記フォールディングドアまたはフォールディングスライドドア（２）に圧力を加えることによって、ロック解除可能であり、かつ前記ロック解除装置（１１０）は、少なくとも、前記少なくとも１つのロック装置（５）のロック解除時に、前記第１の扉（１９）および前記第２の扉（２０）に結合されているか、または結合可能であり、これによって前記ロック解除装置（１１０）は、前記少なくとも１つのロック装置（５）のロック解除時に前記両扉（１９，２０）相互の相対的な角度変化を検出することができる、
請求項１３または１４記載のエジェクト装置（１，１０１，２０１）。
【請求項１６】
前記少なくとも１つのロック装置（５）は、当該エジェクト装置（１０１）の取付け時に、前記少なくとも２つの扉（１９，２０）が互いに枢着結合されている領域において、前記フォールディングドアまたはフォールディングスライドドア（２）に圧力を加えることによって、ロック解除可能である、
請求項１５記載のエジェクト装置（１，１０１，２０１）。
【請求項１７】
家具本体（１５，６４）と、前記家具本体（１５，６４）に対して相対的に可動の少なくとも１つの家具部分（２，２２）、特に少なくとも１つのフォールディングドアまたはフォールディングスライドドアと、閉鎖位置から開放位置に前記少なくとも１つの可動の家具部分（２，２２）をエジェクトするための、請求項１から１６までのいずれか１項記載の少なくとも１つのエジェクト装置（１）とを備えた家具（２５，２７）である、家具（２５，２７）。
【請求項１８】
前記少なくとも１つの可動の家具部分（２）は、フォールディングドアまたはフォールディングスライドドアとして形成されており、かつ前記家具本体（１５）は、前記少なくとも１つのフォールディングドアまたはフォールディングスライドドア（２）を折り畳まれた位置において収容するための、特に空洞形状の中空室（２６）を有している、
請求項１７記載の家具（２５，２７）。
【請求項１９】
駆動装置（３０）が設けられており、該駆動装置（３０）は、前記少なくとも１つの可動の家具部分（２）が自動的に前記開放位置から前記閉鎖位置に移行するように形成されている、
請求項１７または１８記載の家具（２５）。
【発明の詳細な説明】
【技術分野】
【０００１】
本発明は、可動の家具部分のためのエジェクト装置であって、閉鎖位置から開放位置に可動の家具部分をエジェクトするための少なくとも１つのエジェクトエレメントと、閉鎖位置から開放位置への可動の家具部分のエジェクト時に少なくとも１つのエジェクトエレメントに力を加えるための少なくとも１つのエジェクト蓄力器と、少なくとも１つエジェクト蓄力器による力荷重に抗して少なくとも１つのエジェクトエレメントをロックするための少なくとも１つのロック装置とが設けられており、このとき少なくとも１つのロック装置は、閉鎖方向において閉鎖位置の背後に配置された過剰押圧位置への可動の家具部分の過剰押圧によって、ロック解除可能である、エジェクト装置に関する。本発明はさらに、家具本体と、家具本体に対して相対的に可動の少なくとも１つの家具部分と、このような少なくとも１つのエジェクト装置とを備えた家具に関する。
【０００２】
請求項１の上位概念部に記載されたエジェクト装置は、例えば国際公開第２０１３／１０６８７３号（WO 2013/106873 A1）に基づいて公知である。このエジェクト装置における根底を成す課題は、ロック装置が意図せずに再びロック解除され、かつ可動の家具部分が新たにエジェクト装置によって閉鎖位置から開放位置へとエジェクトされることを、使用者が、開放位置から閉鎖位置への可動の家具部分の移動時に阻止したいと思うことにある。
【０００３】
この問題を解決するために、既に幾つかの解決策が従来技術において公知である。国際公開第２０１３／１０６８７３号では、例えば押込み防止装置が、可動の家具部分が閉鎖位置に達した場合に、ロックエレメントによって過剰押圧位置への可動の家具部分の移動が阻止されることによって、実現されている。
【０００４】
しかしながらこの解決策には、２つの欠点がある。すなわち一方では、可動の家具部分の閉鎖移動のために使用されるエネルギの一部を、押込み防止装置をトリガするために、分岐しなくてはならない。しかしながらこのことは、可能な限り調和の取れたソフトな閉鎖移動を実現するという望みに反している。それというのは、閉鎖移動のために、本来必要であるよりも多くのエネルギを提供しなければならないからである。他方において、使用者が、エジェクト装置が押込み防止装置を備えていることを意識しておらず、かつ誤操作によってロックエレメントもしくは押込み防止装置を損傷するというおそれがある。
【０００５】
ゆえに本発明の課題は、従来技術に対して改善された押込み防止装置であって、特に記載された欠点を回避する押込み防止装置を備えた、請求項１の上位概念部に記載された形式のエジェクト装置を提供することにある。本発明の別の課題は、このような本発明に係るエジェクト装置を備えた家具を提供することである。
【０００６】
これらの課題は、請求項１および請求項１４の特徴部に記載の構成によって解決される。
【０００７】
つまり本発明に係るエジェクト装置では、少なくとも１つのロック装置に作用結合されている少なくとも１つの切換えエレメントが設けられており、該切換えエレメントは、少なくとも１つのロック装置がロック解除可能である少なくとも１つの作動位置と、少なくとも１つのロック装置がロック解除不能である少なくとも１つの不作動位置とを有しており、このとき少なくとも１つの切換えエレメントは、閉鎖位置から開放位置への可動の家具部分のエジェクト時、および／または少なくとも１つのロック装置のロック解除によって、少なくとも１つの不作動位置に可動であることが提案されている。
【０００８】
少なくとも１つの切換えエレメントが、可動の家具部分のエジェクト時、および／または少なくとも１つのロック装置のロック解除によって、少なくとも１つの不作動位置に可動であることによって、ひいてはロック装置がロック解除可能ではないことによって、押込み防止装置、つまりロック装置の意図しないロック解除が、従来技術において行われていたように可動の家具部分の開放移動によってはもはや作動させられず、可動の家具部分の閉鎖移動によって作動させられることが保証されている。つまり押込み防止装置を作動させるために、閉鎖エネルギの一部を分岐する必要がない。
【０００９】
さらにまた、可動の家具部分が過剰押圧位置に移動させられることも、もはや阻止されない。本発明に係る解決策は、むしろ閉鎖位置から過剰押圧位置への可動の家具部分の移動を可能にする。少なくとも１つの不作動位置における少なくとも１つの切換えエレメントによって、少なくとも過剰押圧位置への可動の家具部分の移動の開始時には、しかしながら少なくとも１つのロック装置がこの移動時にロック解除可能にならないことが保証される。押込み防止装置の機械的な損傷は、阻止されている。
【００１０】
閉鎖位置から開放位置への可動の家具部分のエジェクト時における、少なくとも１つの不作動位置への少なくとも１つの切換えエレメントの移動は、例えば、連結装置が設けられており、該連結装置を介して少なくとも１つの切換えエレメントが、少なくとも１つのエジェクトエレメントに間接的にまたは直接的に連結可能であり、好ましくは、このとき連結装置が、連行体およびストッパ輪郭を含んでおり、特に好ましくは、このときストッパ輪郭が、内部に連行体が可動に支持されている長孔として形成されていることによって、実現することができる。つまりこのように構成されていると、エジェクトエレメントの移動が、少なくとも１つの切換えエレメントを少なくとも１つの不作動位置へ移動させるために利用される。しかしながらこのことは、必ずしも必要なことではない。同じように良好に次のように表現することもできる。すなわち、少なくとも１つの切換えエレメントは確かに少なくとも１つの不作動位置への可動の家具部分のエジェクト時に移動させられるが、しかしながら少なくとも１つのエジェクトエレメントの移動とは無関係に移動させられる。
【００１１】
本発明の好適な実施形態によれば、少なくとも１つのロック装置が、少なくとも１つのロック解除装置を有しており、該少なくとも１つのロック解除装置が、少なくとも１つの切換えエレメントに少なくとも１つのロック解除装置を連結するための少なくとも１つの連結装置を含んでいることが提案されている。このとき少なくとも１つのロック解除装置の少なくとも１つの連結装置は、少なくとも１つの接触箇所を有しており、このとき少なくとも１つの連結装置は、少なくとも１つの作動位置において、少なくとも１つの接触箇所を介して少なくとも１つの切換えエレメントに接触し、かつ少なくとも１つの不作動位置において、少なくとも１つの接触箇所において少なくとも１つの切換えエレメントに接触しないように形成されていてよい。この場合少なくとも１つの作動位置の少なくとも１つの切換えエレメントは、対応受けを提供しており、この対応受けには、少なくとも１つのロック解除装置がロック装置をロック解除するために支持されていてよい。少なくとも１つの切換えエレメントの少なくとも１つの不作動位置において、この対応受けは存在していないので、少なくとも１つのロック解除装置は、係合作用を発揮しない。
【００１２】
さらに好適であることが判明している実施形態では、少なくとも１つの戻し装置が設けられており、該少なくとも１つの戻し装置を介して少なくとも１つの切換えエレメントは、閉鎖位置から開放位置への可動の家具部分のエジェクト後、もしくは少なくとも１つのロック装置のロック解除後に、少なくとも１つの不作動位置から少なくとも１つの作動位置に可動である。
【００１３】
どの時点において、または家具本体に対して相対的な可動の家具部分のどの位置において、少なくとも１つの戻し装置が、エジェクト後、もしくは少なくとも１つの切換えエレメントのロック解除後に、不作動位置から作動位置に移動するかは、このとき重要ではない。したがって、少なくとも１つの不作動位置から少なくとも１つの作動位置への少なくとも１つの切換えエレメントの移動が、例えば可動の家具部分の閉鎖位置の新たな到達時に初めて行われるようになっていてもよい。また少なくとも１つの切換えエレメントの移動が、戻し装置によって行われる必要もない。基本的には、使用者が、少なくとも１つの切換えエレメントを手によって少なくとも１つの作動位置に戻り移動させることも考えられる。
【００１４】
しかしながら、少なくとも１つの戻し装置が設けられている場合には、この少なくとも１つの戻し装置が、タイマを含んでおり、該タイマを介して少なくとも１つの切換えエレメントが、閉鎖位置から開放位置への可動の家具部分のエジェクト後、もしくは少なくとも１つのロック装置のロック解除後に、時間をずらされて、少なくとも１つの不作動位置から少なくとも１つの作動位置に可動であり、好ましくは、このときタイマは、少なくとも１つの蓄力器と、少なくとも１つの蓄力器に抗して作用する少なくとも１つの緩衝器とを含んでいると好適であると判った。
【００１５】
それに対して択一的にまたは補足的に、少なくとも１つの戻し装置が、家具本体に対する可動の家具部分の相対位置を検知するための検知装置を含んでおり、かつ少なくとも１つの切換えエレメントが、少なくとも１つの戻し装置によって、設定された位置と検知装置によって検知された相対位置との関連において、少なくとも１つの不作動位置から少なくとも１つの作動位置に可動であることが、提案されていてよい。家具本体に対する「可動の家具部分の相対位置」というのは、例えば可動の家具部分が引出しの場合には、家具部分の端面に対するこの引出しの前面化粧板の規定の間隔を意味することができる。可動の家具部分が、少なくとも第１の扉および少なくとも１つの第２の扉を含むフォールディングドアまたはフォールディングスライドドアとして形成されている場合には、家具本体に対する「可動の家具部分の相対位置」というのは、両扉相互の相対的な規定の角度位置をも意味することができる。
【００１６】
本発明の別の好適な実施形態では、少なくとも１つのロック装置が、旋回可能に支持された少なくとも１つのレバーアームを含んでおり、かつ／または形状結合式および／または力結合式にロック可能である。形状結合は例えば、ピンまたはこれに類したものに背後から係合する係止突起によって実現することができる。
【００１７】
さらに好適なことが判明している実施形態では、変換装置が設けられており、該変換装置は、少なくとも１つのエジェクト蓄力器と少なくとも１つのエジェクトエレメントとの間に配置されており、好ましくは、このとき変換装置は、少なくとも１つの転動体と少なくとも１つの調節輪郭とを含んでいて、該少なくとも１つの調節輪郭に沿って、少なくとも１つの転動体は可動である。変換装置が転動体と調節輪郭とを含んでいる実施形態は、特に好適である。それというのは、調節輪郭の構成を介して、少なくとも１つのエジェクトエレメントの規定の移動経過を実現することができるからである。それに沿って転動体が相前後して走行する、異なった傾斜を有する面の配置形態によって、例えば種々様々な加速段階および制動段階を実現することができる。
【００１８】
特別な形式で提供されている実施形態では、エジェクト装置は、フォールディングドアまたはフォールディングスライドドアとして形成されている可動の家具部分との関連において使用され、このときフォールディングドアまたはフォールディングスライドドアは、少なくとも１つの第１の扉と少なくとも１つの第２の扉とを含んでおり、かつ少なくとも１つのエジェクトエレメントは、フォールディングドアまたはフォールディングスライドドアを、少なくとも２つの扉が共通の閉鎖平面に配置されている閉鎖位置から、少なくとも２つの扉が互いに１８０°とは異なる角度を成している開放位置にエジェクトするように形成されている。
【００１９】
この場合さらに別の実施形態では、エジェクト装置は、第１の扉にエジェクト装置を取り付けるための少なくとも１つの取付け具を有しており、かつ少なくとも１つのエジェクトエレメントは、少なくとも１つの取付け具に支持されており、かつ少なくとも１つのエジェクトエレメントは、少なくとも、閉鎖位置から開放位置へのフォールディングドアまたはフォールディングスライドドアの開放屈曲時に、第２の扉に少なくとも１つのエジェクトエレメントを連結するための少なくとも１つの装置を有している。
【００２０】
この実施形態によって、フォールディングドアまたはフォールディングスライドドアのエジェクトもしくは開放屈曲が、両扉の間において行われ、かつフォールディングドアもしくはフォールディングスライドドアと家具本体との間においては行われないことが保証される。このことには２つの重要な利点がある。すなわち一方では、少なくとも１つのエジェクトエレメントがレバーとして形成されている場合に、比較的小さなレバー長さしか必要とされない。これによって従来技術に比べて、比較的小さな構造形状を得ることができる。他方においてエジェクト時には、扉の寸法とは無関係に、扉の間において常に等しい開放角が生じる。
【００２１】
ロック装置のためのロック解除装置が設けられている場合のためには、ロック解除装置がロック解除のために家具本体との接触部を形成することは、同様に必ずしも必要ではない。むしろ、ロック解除装置は、少なくとも、少なくとも１つのロック装置のロック解除時に、第１の扉および第２の扉に結合されているか、または結合可能であり、これによってロック解除装置は、少なくとも１つのロック装置のロック解除時に両扉相互の相対的な角度変化を検出することができるようになっていてもよい。このように構成されていると、エジェクト装置を両扉の間において任意の箇所に配置することができる。さもないと、エジェクト装置を、エジェクト装置が家具本体の端面に対して僅かな間隔を有するように、両扉に配置することに注意を払う必要がある。
【００２２】
冒頭に述べたように、家具本体と、家具本体に対して相対的に可動の少なくとも１つの家具部分、特に少なくとも１つのフォールディングドアまたはフォールディングスライドドアと、閉鎖位置から開放位置に少なくとも１つの可動の家具部分をエジェクトするための、本発明に係る少なくとも１つのエジェクト装置とを備えた家具であって、好ましくはこのとき、少なくとも１つの可動の家具部分が、フォールディングドアまたはフォールディングスライドドアとして形成されており、かつ家具本体が、少なくとも１つのフォールディングドアまたはフォールディングスライドドアを折り畳まれた位置において収容するための、特に空洞形状の中空室を有している、家具に対する保護も要求される。
【００２３】
このとき本発明との関連において提供される実施形態では特に、駆動装置が設けられており、該駆動装置は、少なくとも１つの可動の家具部分が自動的に開放位置から閉鎖位置に移行するように形成されている。このとき２つの場合が互いに異なっていてよい。すなわち一方の第１の場合では、可動の家具部分は、エジェクト後に使用者の手によって直ちに再び閉鎖位置に戻り移動させられ、かつ他方の第２の場合では、少なくとも１つの可動の家具部分が、自動的に閉鎖位置に移行させられる。第１の場合では押込み防止装置が本発明のように作動させられており、このとき少なくとも１つの切換えエレメントは、少なくとも閉鎖位置もしくは過剰押圧位置への可動の家具部分の移動の開始時に、少なくとも１つの不作動位置にあり、これによって少なくとも１つのロック装置がロック解除不能である。第２の場合ではこれに対して、押込み防止装置を設けることはまったく不要である。それというのは、駆動装置が、可動の家具部分を常に同じ力で閉鎖位置に移動させるからである。この力のカスタムメイドの設計によって、そのために押込み防止装置を必要とすることなしに、閉鎖位置から過剰押圧位置への可動の家具部分の移動を阻止することができる。言い換えると、本発明は、使用者が開放欲求に関する自身の気持ちを変化させ、エジェクト直後またはエジェクト時にさえ、可動の家具部分を再び閉鎖したいという意味で、特に「緊急閉鎖」の場合をカバーしている。すなわち、このような場合には、押込み防止装置が常時、ロック装置がロック解除不能であるようにアクティブである。
【００２４】
以下においては、本発明のさらなる詳細および利点を、図面に示された実施形態を参照しながら図面の記載によって詳説する。
【図面の簡単な説明】
【００２５】
【図１ａ】閉鎖された２つのフォールディングスライドドアを備えた家具を示す斜視図である。
【図１ｂ】図１ａに示された家具であって、このときフォールディングスライドドアのうちの１つが、本発明に係るエジェクト装置を用いてエジェクトされている家具を示す図である。
【図１ｃ】図１ａに示された家具であって、このとき両フォールディングスライドドアがそれぞれ折り畳まれた位置にある家具を示す図である。
【図１ｄ】図１ａに示された家具であって、このとき両フォールディングスライドドアがそれぞれ、家具本体に配置された中空室内に沈められている家具を示す図である。
【図２ａ】本発明に係るエジェクト装置の好適な第１実施形態を示す斜視図である。
【図２ｂ】図２ａに示されたエジェクト装置を示す側面図である。
【図２ｃ】図２ａに示されたエジェクト装置を、取付けプレートなしに、下から見た図である。
【図３】図２ａに示されたエジェクト装置を示す分解図である。
【図４ａ】図２ａに示されたエジェクト装置であって、このときロックされているエジェクト装置を上から見た平面図である。
【図４ｂ】図４ａに示されたエジェクト装置の、ロック装置を有する半部を、切断平面Ａ−Ａに沿って断面して示す横断面図である。
【図４ｃ】図４ａに示されたエジェクト装置の、ロック装置を有する半部を、切断平面Ｂ−Ｂに沿って断面して示す横断面図である。
【図５ａ】好適な第１実施形態に係るエジェクト装置であって、このとき過剰押圧位置にあるエジェクト装置を示す側面図である。
【図５ｂ】好適な第１実施形態に係るエジェクト装置の、ロック装置を有する半部を、切断平面Ａ−Ａに沿って断面して示す横断面図であって、このときエジェクト装置は過剰押圧位置にある横断面図である。
【図５ｃ】好適な第１実施形態に係るエジェクト装置の、ロック装置を有する半部を、切断平面Ｂ−Ｂに沿って断面して示す横断面図であって、このときエジェクト装置は過剰押圧位置にある横断面図である。
【図６ａ】好適な第１実施形態に係るエジェクト装置であって、このときロック解除直後の位置にあるエジェクト装置を示す側面図である。
【図６ｂ】好適な第１実施形態に係るエジェクト装置の、ロック装置を有する半部を、切断平面Ａ−Ａに沿って断面して示す横断面図であって、このときエジェクト装置はロック解除直後の位置にある横断面図である。
【図６ｃ】好適な第１実施形態に係るエジェクト装置の、ロック装置を有する半部を、切断平面Ｂ−Ｂに沿って断面して示す横断面図であって、このときエジェクト装置はロック解除直後の位置にある横断面図である。
【図７ａ】好適な第１実施形態に係るエジェクト装置を示す側面図であって、このときエジェクト装置はエジェクト装置によるエジェクト後の開放位置にある側面図である。
【図７ｂ】好適な第１実施形態に係るエジェクト装置の、ロック装置を有する半部を、切断平面Ａ−Ａに沿って断面して示す横断面図であって、このときエジェクト装置はエジェクト装置によるエジェクト後の開放位置にある横断面図である。
【図７ｃ】転動体と調節輪郭との相対関係を示す詳細図であって、このときエジェクト装置はエジェクト装置によるエジェクト後の開放位置にある詳細図である。
【図７ｄ】好適な第１実施形態に係るエジェクト装置の、ロック装置を有する半部を、切断平面Ｂ−Ｂに沿って断面して示す横断面図であって、このときエジェクト装置はエジェクト装置によるエジェクト後の開放位置にある横断面図である。
【図８ａ】好適な第１実施形態に係るエジェクト装置を、切断平面Ａ−Ａに沿って断面して示す横断面図であって、このときエジェクト装置を、エジェクト装置の両半部が折り畳まれた位置において示す横断面図である。
【図８ｂ】家具を、折り畳まれたフォールディングスライドドアと共に上から見て示す平面図である。
【図９】好適な第１実施形態に係るエジェクト装置を、切断平面Ａ−Ａに沿って断面して示す横断面図であって、このときエジェクト装置は閉鎖位置への移行時における中間位置にある横断面図である。
【図１０ａ】好適な第１実施形態に係るエジェクト装置を示す側面図であって、このときエジェクト装置は、閉鎖位置への到達前に、エジェクト直後に手によって閉鎖が行われた場合にエジェクト装置が占める位置にある側面図である。
【図１０ｂ】好適な第１実施形態に係るエジェクト装置の、ロック装置を有する半部を、切断平面Ａ−Ａに沿って断面して示す横断面図であって、このときエジェクト装置は、閉鎖位置への到達前に、エジェクト直後に手によって閉鎖が行われた場合にエジェクト装置が占める位置にある横断面図である。
【図１０ｃ】好適な第１実施形態に係るエジェクト装置の、ロック装置を有する半部を、切断平面Ｂ−Ｂに沿って断面して示す横断面図であって、このときエジェクト装置は、閉鎖位置への到達前に、エジェクト直後に手によって閉鎖が行われた場合にエジェクト装置が占める位置にある横断面図である。
【図１１】好適な第１実施形態に係るエジェクト装置の、ロック装置を有する半部を、切断平面Ａ−Ａに沿って断面して示す横断面図であって、このときエジェクト装置は、過剰押圧位置にある、つまりエジェクト直後に手によって閉鎖が行われた場合における横断面図である。
【図１２ａ】好適な第１実施形態に係るエジェクト装置の、ロック装置を有する半部を、横断面して示す斜視図であって、このときエジェクト装置はロックされていて、かつ少なくとも１つの切換えエレメントは作動位置にある斜視図である。
【図１２ｂ】好適な第１実施形態に係るエジェクト装置の、ロック装置を有する半部を、横断面して示す斜視図であって、このときエジェクト装置はロックされていて、かつ少なくとも１つの切換えエレメントは不作動位置にある斜視図である。
【図１３ａ】エジェクト装置の好適な第２実施形態を示す側面図であって、このときロックされている閉鎖位置にあるエジェクト装置を示す側面図である。
【図１３ｂ】エジェクト装置の好適な第２実施形態を示す側面図であって、このとき過剰押圧位置にあるエジェクト装置を示す側面図である。
【図１３ｃ】エジェクト装置の好適な第２実施形態を示す側面図であって、このときロック解除直後の位置にあるエジェクト装置を示す側面図である。
【図１４ａ】フォールディングフラップと、好適な第１実施形態に係るエジェクト装置とを備えた別の家具を断面して示す斜視図である。
【図１４ｂ】図１４ａに示された家具を別の視線方向から見て示す斜視図である。
【図１５ａ】フォールディングスライドドアの閉鎖時における、エジェクト装置の好適な第３実施形態を示す側面図である。
【図１５ｂ】図１５ａに示されたエジェクト装置を、フォールディングスライドドアおよび家具本体の端面なしに、上から見て示す平面図である。
【図１５ｃ】切断平面Ｃ−Ｃ（図１５ｂ参照）に沿って断面して側方から見た部分図である。
【図１５ｄ】切断平面Ｄ−Ｄ（図１５ｂ参照）に沿って断面して側方から見た部分図である。
【図１５ｅ】切断平面Ｅ−Ｅ（図１５ｂ参照）に沿って断面して側方から見た部分図である。
【図１５ｆ】切断平面Ｆ−Ｆ（図１５ｂ参照）に沿って断面して側方から見た部分図である。
【図１６ａ】エジェクト装置の好適な第３実施形態を示す側面図であって、このときフォールディングスライドドアが過剰押圧位置に移動させられる側面図である。
【図１６ｂ】図１６ａに示されたエジェクト装置を、フォールディングスライドドアおよび家具本体の端面なしに、上から見て示す平面図である。
【図１６ｃ】切断平面Ｃ−Ｃ（図１６ｂ参照）に沿って断面して側方から見た部分図である。
【図１６ｄ】切断平面Ｄ−Ｄ（図１６ｂ参照）に沿って断面して側方から見た部分図である。
【図１６ｅ】切断平面Ｅ−Ｅ（図１６ｂ参照）に沿って断面して側方から見た部分図である。
【図１６ｆ】切断平面Ｆ−Ｆ（図１６ｂ参照）に沿って断面して側方から見た部分図である。
【図１７ａ】エジェクト装置の好適な第３実施形態を示す側面図であって、このときフォールディングスライドドアが最大の過剰押圧位置にある側面図である。
【図１７ｂ】図１７ａに示されたエジェクト装置を、フォールディングスライドドアおよび家具本体の端面なしに、上から見て示す平面図である。
【図１７ｃ】切断平面Ｃ−Ｃ（図１７ｂ参照）に沿って断面して側方から見た部分図である。
【図１７ｄ】切断平面Ｄ−Ｄ（図１７ｂ参照）に沿って断面して側方から見た部分図である。
【図１７ｅ】切断平面Ｅ−Ｅ（図１７ｂ参照）に沿って断面して側方から見た部分図である。
【図１７ｆ】切断平面Ｆ−Ｆ（図１７ｂ参照）に沿って断面して側方から見た部分図である。
【図１８ａ】ロック装置のロック解除直後における、エジェクト装置の好適な第３実施形態を示す側面図である。
【図１８ｂ】図１８ａに示されたエジェクト装置を、フォールディングスライドドアおよび家具本体の端面なしに、上から見て示す平面図である。
【図１８ｃ】切断平面Ｃ−Ｃ（図１８ｂ参照）に沿って断面して側方から見た部分図である。
【図１８ｄ】切断平面Ｄ−Ｄ（図１８ｂ参照）に沿って断面して側方から見た部分図である。
【図１８ｅ】切断平面Ｅ−Ｅ（図１８ｂ参照）に沿って断面して側方から見た部分図である。
【図１８ｆ】切断平面Ｆ−Ｆ（図１８ｂ参照）に沿って断面して側方から見た部分図である。
【図１９ａ】第１の中間位置におけるフォールディングスライドドアのエジェクト時における、エジェクト装置の好適な第３実施形態を示す側面図である。
【図１９ｂ】図１９ａに示されたエジェクト装置を、フォールディングスライドドアおよび家具本体の端面なしに、上から見て示す平面図である。
【図１９ｃ】切断平面Ｃ−Ｃ（図１９ｂ参照）に沿って断面して側方から見た部分図である。
【図１９ｄ】切断平面Ｄ−Ｄ（図１９ｂ参照）に沿って断面して側方から見た部分図である。
【図１９ｅ】切断平面Ｅ−Ｅ（図１９ｂ参照）に沿って断面して側方から見た部分図である。
【図１９ｆ】切断平面Ｆ−Ｆ（図１９ｂ参照）に沿って断面して側方から見た部分図である。
【図２０ａ】第２の中間位置におけるフォールディングスライドドアのエジェクト時における、エジェクト装置の好適な第３実施形態を示す側面図である。
【図２０ｂ】図２０ａに示されたエジェクト装置を、フォールディングスライドドアおよび家具本体の端面なしに、上から見て示す平面図である。
【図２０ｃ】切断平面Ｃ−Ｃ（図２０ｂ参照）に沿って断面して側方から見た部分図である。
【図２０ｄ】切断平面Ｄ−Ｄ（図２０ｂ参照）に沿って断面して側方から見た部分図である。
【図２０ｅ】切断平面Ｅ−Ｅ（図２０ｂ参照）に沿って断面して側方から見た部分図である。
【図２０ｆ】切断平面Ｆ−Ｆ（図２０ｂ参照）に沿って断面して側方から見た部分図である。
【図２１ａ】ディスチャージされたエジェクト蓄力器を備えた、第３の中間位置におけるフォールディングスライドドアのエジェクト時における、エジェクト装置の好適な第３実施形態を示す側面図である。
【図２１ｂ】図２１ａに示されたエジェクト装置を、フォールディングスライドドアおよび家具本体の端面なしに、上から見て示す平面図である。
【図２１ｃ】切断平面Ｃ−Ｃ（図２１ｂ参照）に沿って断面して側方から見た部分図である。
【図２１ｄ】切断平面Ｄ−Ｄ（図２１ｂ参照）に沿って断面して側方から見た部分図である。
【図２１ｅ】切断平面Ｅ−Ｅ（図２１ｂ参照）に沿って断面して側方から見た部分図である。
【図２１ｆ】切断平面Ｆ−Ｆ（図２１ｂ参照）に沿って断面して側方から見た部分図である。
【図２２ａ】第１の中間位置におけるエジェクト動作後に、フォールディングスライドドアの扉の平行位置の方向にフォールディングスライドドアを手によってさらに移動させた場合における、エジェクト装置の好適な第３実施形態を示す側面図である。
【図２２ｂ】図２２ａに示されたエジェクト装置を、フォールディングスライドドアおよび家具本体の端面なしに、上から見て示す平面図である。
【図２２ｃ】切断平面Ｃ−Ｃ（図２２ｂ参照）に沿って断面して側方から見た部分図である。
【図２２ｄ】切断平面Ｄ−Ｄ（図２２ｂ参照）に沿って断面して側方から見た部分図である。
【図２２ｅ】切断平面Ｅ−Ｅ（図２２ｂ参照）に沿って断面して側方から見た部分図である。
【図２２ｆ】切断平面Ｆ−Ｆ（図２２ｂ参照）に沿って断面して側方から見た部分図である。
【図２３ａ】第２の中間位置におけるエジェクト動作後に、フォールディングスライドドアの扉の平行位置の方向にフォールディングスライドドアを手によってさらに移動させた場合における、エジェクト装置の好適な第３実施形態を示す側面図である。
【図２３ｂ】図２３ａに示されたエジェクト装置を、フォールディングスライドドアおよび家具本体の端面なしに、上から見て示す平面図である。
【図２３ｃ】切断平面Ｃ−Ｃ（図２３ｂ参照）に沿って断面して側方から見た部分図である。
【図２３ｄ】切断平面Ｄ−Ｄ（図２３ｂ参照）に沿って断面して側方から見た部分図である。
【図２３ｅ】切断平面Ｅ−Ｅ（図２３ｂ参照）に沿って断面して側方から見た部分図である。
【図２３ｆ】切断平面Ｆ−Ｆ（図２３ｂ参照）に沿って断面して側方から見た部分図である。
【図２４ａ】第３の中間位置におけるエジェクト動作後に、フォールディングスライドドアの扉の平行位置の方向にフォールディングスライドドアを手によってさらに移動させた場合における、エジェクト装置の好適な第３実施形態を示す側面図である。
【図２４ｂ】図２４ａに示されたエジェクト装置を、フォールディングスライドドアおよび家具本体の端面なしに、上から見て示す平面図である。
【図２４ｃ】切断平面Ｃ−Ｃ（図２４ｂ参照）に沿って断面して側方から見た部分図である。
【図２４ｄ】切断平面Ｄ−Ｄ（図２４ｂ参照）に沿って断面して側方から見た部分図である。
【図２４ｅ】切断平面Ｅ−Ｅ（図２４ｂ参照）に沿って断面して側方から見た部分図である。
【図２４ｆ】切断平面Ｆ−Ｆ（図２４ｂ参照）に沿って断面して側方から見た部分図である。
【図２５ａ】第４の中間位置におけるエジェクト動作後に、フォールディングスライドドアの扉の平行位置の方向にフォールディングスライドドアを手によってさらに移動させた場合における、エジェクト装置の好適な第３実施形態を示す側面図である。
【図２５ｂ】図２５ａに示されたエジェクト装置を、フォールディングスライドドアおよび家具本体の端面なしに、上から見て示す平面図である。
【図２５ｃ】切断平面Ｃ−Ｃ（図２５ｂ参照）に沿って断面して側方から見た部分図である。
【図２５ｄ】切断平面Ｄ−Ｄ（図２５ｂ参照）に沿って断面して側方から見た部分図である。
【図２５ｅ】切断平面Ｅ−Ｅ（図２５ｂ参照）に沿って断面して側方から見た部分図である。
【図２５ｆ】切断平面Ｆ−Ｆ（図２５ｂ参照）に沿って断面して側方から見た部分図である。
【図２６ａ】第１の中間位置におけるフォールディングスライドドアの、閉鎖位置／過剰押圧位置の方向へのエジェクト中またはエジェクト直後に、フォールディングスライドドアを手によって逆方向に移動させた場合における、エジェクト装置の好適な第３実施形態を示す側面図である。
【図２６ｂ】図２６ａに示されたエジェクト装置を、フォールディングスライドドアおよび家具本体の端面なしに、上から見て示す平面図である。
【図２６ｃ】切断平面Ｃ−Ｃ（図２６ｂ参照）に沿って断面して側方から見た部分図である。
【図２６ｄ】切断平面Ｄ−Ｄ（図２６ｂ参照）に沿って断面して側方から見た部分図である。
【図２６ｅ】切断平面Ｅ−Ｅ（図２６ｂ参照）に沿って断面して側方から見た部分図である。
【図２６ｆ】切断平面Ｆ−Ｆ（図２６ｂ参照）に沿って断面して側方から見た部分図である。
【図２７ａ】第２の中間位置におけるフォールディングスライドドアの、閉鎖位置／過剰押圧位置の方向へのエジェクト中またはエジェクト直後に、フォールディングスライドドアを手によって逆方向に移動させた場合における、エジェクト装置の好適な第３実施形態を示す側面図である。
【図２７ｂ】図２７ａに示されたエジェクト装置を、フォールディングスライドドアおよび家具本体の端面なしに、上から見て示す平面図である。
【図２７ｃ】切断平面Ｃ−Ｃ（図２７ｂ参照）に沿って断面して側方から見た部分図である。
【図２７ｄ】切断平面Ｄ−Ｄ（図２７ｂ参照）に沿って断面して側方から見た部分図である。
【図２７ｅ】切断平面Ｅ−Ｅ（図２７ｂ参照）に沿って断面して側方から見た部分図である。
【図２７ｆ】切断平面Ｆ−Ｆ（図２７ｂ参照）に沿って断面して側方から見た部分図である。
【図２８ａ】第３の中間位置におけるフォールディングスライドドアの、閉鎖位置／過剰押圧位置の方向へのエジェクト中またはエジェクト直後に、フォールディングスライドドアを手によって逆方向に移動させた場合における、エジェクト装置の好適な第３実施形態を示す側面図である。
【図２８ｂ】図２８ａに示されたエジェクト装置を、フォールディングスライドドアおよび家具本体の端面なしに、上から見て示す平面図である。
【図２８ｃ】切断平面Ｃ−Ｃ（図２８ｂ参照）に沿って断面して側方から見た部分図である。
【図２８ｄ】切断平面Ｄ−Ｄ（図２８ｂ参照）に沿って断面して側方から見た部分図である。
【図２８ｅ】切断平面Ｅ−Ｅ（図２８ｂ参照）に沿って断面して側方から見た部分図である。
【図２８ｆ】切断平面Ｆ−Ｆ（図２８ｂ参照）に沿って断面して側方から見た部分図である。
【図２９ａ】エジェクト装置の好適な第３実施形態を示す斜視図である。
【図２９ｂ】エジェクト装置の好適な第３実施形態を示す分解図である。
【図３０ａ】切換え軸２７６をその上に配置されたエレメントと一緒に示す斜視図である。
【図３０ｂ】図３０ａに示された構成グループを示す分解図である。
【００２６】
図１ａ〜図１ｄには、家具本体１５を備えた家具２５が示されている。この家具本体１５の一部は、それぞれ１つの第１の扉１９と第２の扉２０とを含む２つのフォールディングスライドドア２を用いて外方に対して覆うことができ、このとき両扉１９，２０は、互いに枢着結合されている。図１ａの場合では、両フォールディングスライドドア２は閉鎖位置にあり、この閉鎖位置において両扉１９，２０は、共通の閉鎖平面に配置されている。図１ｂの場合では両フォールディングスライドドア２のうちの一方（右側のフォールディングスライドドア２）は、開放位置にあり、この開放位置では両扉１９，２０は、互いに１８０°とは異なる角度を成している。これに対して他方のフォールディングスライドドア２の両扉１９，２０は、互いに１８０°の角度２１を成している。図１ｃおよび図１ｄの場合では両フォールディングスライドドア２は、折り畳まれた位置にあり、このとき図１ｃに示されたフォールディングスライドドア２は、家具本体１５の外部に配置されていて、かつ図１ｄに示されたフォールディングスライドドア２は、家具本体１５の内部に配置されている。家具本体１５の内部にフォールディングスライドドア２を配置するために、空洞形状に形成された中空室２６が設けられている。
【００２７】
少なくとも家具２５の、フォールディングスライドドア２を用いて覆うことができる部分には、例えば引出しを含むアンダキャビネットおよびオーバキャビネットを備えたキッチン２８が配置されている。
【００２８】
フォールディングスライドドア２の両扉１９，２０のうちの一方は、それぞれ保持体に枢着的に配置されている。この扉には符号１９が付されている。さらに両扉１９，２０はヒンジ３０（図１ｃ参照）を介して互いに枢着結合されている。保持体に枢着結合されていない扉２０は、キャリッジ３１に結合されており、このキャリッジ３１は、レール３２に沿って走行可能に支持されている。レール３２は、家具本体１５の上側領域に配置されている。
【００２９】
３つの空間方向には、符号６（奥行き）、３４（幅）、および３３（高さ）が付されている。
【００３０】
フォールディングスライドドア２の両扉１９，２０の間には、両扉１９，２０が共通の閉鎖平面に配置されている閉鎖位置から、両扉１９，２０が互いに１８０°とは異なる角度２１を成している開放位置に、フォールディングスライドドア２をエジェクトするための、それぞれ１つのエジェクト装置１が配置されている。このエジェクト装置１は、部分的に家具本体１５の端面２９と共働する。
【００３１】
図２ａ〜図１２ｂには、エジェクト装置１の好適な第１実施形態が記載されている。図１３ａ〜図１３ｃには、エジェクト装置１０１の第２実施形態が記載されている。図１５ａ〜図２８ｆには、エジェクト装置２０１の第３実施形態が記載されている。
【００３２】
図２ａ〜図２ｃには、好適な第１実施形態に係るエジェクト装置１がロックされた閉鎖位置において示されており、このときフォールディングスライドドアの一部が、もしくは中央ヒンジ３０を介して互いに枢着結合された扉１９，２０が概略的に示されている。中央ヒンジ３０のヒンジ軸線には、符号３５が付されている。エジェクト装置１は、一方では取付け具４０（図２ｃ参照）を介して、かつ他方では取付け具２４を介して扉１９，２０に結合されている。
【００３３】
一方の扉１９には、エジェクト装置１の第１の部分が配置されており、かつ他方の扉２０には、エジェクト装置１の第２の部分が配置されている。
【００３４】
エジェクト装置１の第１の部分は、２つの圧縮ばねを備えたエジェクト蓄力器４を含んでおり、両圧縮ばねはそれぞれ安定装置３８に配置されている（図３も参照）。安定装置３８は、圧縮時における圧縮ばねの内方への屈曲を阻止する。安定装置３８はそれぞれ、ベース３７とスライダ３６との間に配置されている。ベース３７は、ベースプレート４０を介して扉１９に位置固定に結合されている。スライダ３６は、ベースプレート４０に対して相対的にスライドすることができ、すなわち一方ではエジェクト蓄力器４の圧縮ばねに貯えられたエネルギの影響下で、かつ他方では扉１９，２０の折畳みによるエジェクト装置１への手による作用の影響下で、ベースプレート４０に対して相対的にスライドすることができる。
【００３５】
スライダ３６は、安定装置３８が支持されている第１の端部と、２つの転動体１７が軸４１（図３も参照）を中心にして回転可能に支持されている、反対側に位置している第２の端部とを有している。転動体１７はそれぞれ、回転軸４７を中心にして回転可能に支持された調節輪郭１８に支持されている。
【００３６】
取付け具４０からのスライダ３６の持ち上がりを阻止するために、軸４１において両転動体１７の間には、さらに別の転動体５２が配置されており、この転動体５２は、部材４２の溝５３内に制限されてスライド可能に支持されている。部材４２は、両調節輪郭１８の間に配置されている。
【００３７】
調節輪郭１８および転動体１７は、エジェクト蓄力器４と２つのエジェクトエレメント３との間に配置された変換装置を形成している。エジェクトエレメント３は、その移動において調節輪郭１８に強制連結されている。すなわち、エジェクトエレメント３は回転軸４７を中心にした調節輪郭１８の回転時に、同様にこのような回転を実施する。
【００３８】
さらにエジェクトエレメント３はそれぞれ、扉１９，２０のうちの１つの扉１９または２０とのエジェクトエレメント３の連結のための少なくとも１つの装置を有している。詳しく述べると、連結のためのこの装置は、好ましくはピン形状の端部分２３から成っており、この端部分２３は、取付け具２４の溝５４（図３も参照）内においてスライド可能に支持されている。つまり回転軸４７を中心にしたエジェクトエレメント３の回転によって、扉２０は扉１９に対して相対的に回転軸線３５を中心にして継続して旋回させられる。逆に扉１９，２０相互の相対運動は、エジェクトエレメント３をも回転運動させる。
【００３９】
総括して述べると、変換装置は特に、スライダ３６の直線運動をエジェクトエレメント３の旋回運動に変換するため、および逆にエジェクトエレメント３の旋回運動をスライダ３６の直線運動に変換するために働く。エジェクトエレメント３の旋回運動へのスライダ３６の直線運動の変換時に、エジェクト蓄力器４はディスチャージされる（力を解放し、弛緩する）。逆方向において、つまりスライダ３６の直線運動への扉１９，２０もしくは取付け具４０，２４相互の相対運動の変換時には、エジェクト蓄力器４はチャージされる（蓄力し、緊張する）。
【００４０】
調節輪郭１８の構成によって、エジェクトエレメント３の移動もまた正確に制御することができる。このようにして例えばまず、エジェクト動作の開始時に加速段階を得ることができる。この加速段階には、エジェクト蓄力器４のチャージが行われる前に、制動段階が継続して続くことができる。
【００４１】
エジェクト装置１のコンパクトな構造形式を得るために、取付け具４０および扉１９にはそれぞれ切欠き４６（図３も参照）が形成されており、これらの切欠き４６は、調節輪郭１８をその旋回中に少なくとも部分的に収容することができる。
【００４２】
さらにエジェクト装置１は、エジェクト蓄力器４による力荷重に抗してエジェクトエレメント３をロックするためのロック装置５を含んでいる。このときロック装置５は、回転軸５７を中心にして旋回可能にスライダ３６に支持されているレバーアーム１６を含んでいる。
【００４３】
ロック装置５は、押さえ装置によって取付け具４０の方向に押圧される（後続の図面も参照）。押さえ装置はばね６８を含んでおり、このばね６８は、一方では直接的にまたは間接的に取付け具４０に結合されており、このときこの結合は、図示の場合におけるようにベース３７を介して行うことができる。他方においてばね６８は、レバー６７の端部に結合されており、このときレバー端部にはさらに横ピンも配置されており、この横ピンは、ロック装置５の突出部４５に作用する。ばね６８は、引張りばねとして形成されていて、かつばね６８には軽く予荷重が加えられている。ロック装置５が取付け具４０から離反方向に旋回させられると、ばね６８は、比較的強く緊張させられ、かつ比較的大きな力を取付け具４０の方向に加える。その結果ロック装置５は、いかなる位置においても、取付け具４０の方向に移動しようとする傾向を有している。押さえ装置は、択一的にまたは補足的に、回転軸５７の近傍における軸方向のばねによって形成されていてもよい。
【００４４】
レバーアーム１６は、図示の場合には２部分から形成されている（図３も参照）。同様に良好に、レバーアーム１６は一体に形成されていてもよい。レバーアーム１６の自由端部には係止突起４４が形成されており、この係止突起４４は、形状結合式または力結合式にピン４３において係止することができる。ピン４３は、ベースプレート４０に不動に配置されている。図示のロック解決策の代わりに、他のロック解決策も考えられる。
【００４５】
ロック装置５をロック解除するために、２つのロック解除装置１０が設けられている。両ロック解除装置１０は、レバーアーム１６に、回転軸４８を中心にして回転可能に支持されている。さらにロック解除装置１０は自由端部を有しており、この自由端部は、接触箇所５１を介して家具本体１５の端面２９に接触することができる（後続の図面も参照）。
【００４６】
さらにエジェクト装置１は、主要なエレメントとして、ロック装置５に作用結合している切換えエレメント７を含んでおり、この切換えエレメント７は、ロック装置５がロック解除可能である作動位置と、ロック装置５がロック解除不能である不作動位置とを有しており、このとき切換えエレメント７は、閉鎖位置から開放位置への可動の家具部分２のエジェクト時に、不作動位置に可動である。
【００４７】
具体的に切換えエレメント７は、図示の場合にはスライダとして形成されており、このスライダは、ベースプレート４０（特に図２ｃおよび図３参照）において直線的にスライド可能に保持されている。
【００４８】
切換えエレメント７をエジェクトエレメント３に間接的に連結可能である連結装置が設けられており、このとき連結装置は、連行体８と、長孔として形成されたストッパ輪郭９とを含んでおり、このストッパ輪郭９内に連行体８は可動に支持されている。図示の場合、連行体８はピンとして形成されており、このピンは、エジェクト蓄力器４が作用するスライダ３６において支持されている。長孔９は、切換えエレメント７に形成されている。しかしながらまた同様に良好に、スライダ３６が長孔９を、かつ切換えエレメント７が連行体８を含んでいてもよい。さらにまた、連結装置はまったく異なった構成を有することも可能である。
【００４９】
さらにロック解除装置１０は、切換えエレメント７にロック解除装置１０を連結するためのそれぞれ１つの連結装置１１を有している。具体的にこれらの連結装置１１は、それぞれ１つの接触箇所１２を有しており、このとき連結装置１１は、切換えエレメント７に作動位置において接触箇所１２を介して接触し、かつ不作動位置において切換えエレメント７に接触しないように形成されている。
【００５０】
切換えエレメント７を不作動位置から、閉鎖位置から開放位置へのフォールディングスライドドア２のエジェクト後に、再び作動位置に戻り移動させるために、戻し装置が設けられている。このとき戻し装置は、タイマを含んでおり、このタイマを介して切換えエレメント７は時間をずらされて作動位置に移動させられる。タイマは、蓄力器１３と、蓄力器１３に抗して作用する緩衝器１４とを含んでいる。特に図２ｃから分かるように、蓄力器１３は２つの圧縮ばねを含んでおり、両圧縮ばねは、切換えエレメント７の第１の端部とベースプレート４０との間に配置されている。ピストンシリンダユニットを備えた流体緩衝器として形成された緩衝器１４は、切換えエレメント７の第２の端部と部材３９との間に配置されている。すなわちスライダ７には、一方の側から蓄力器１３によって、かつ他方の側から緩衝器１４によって力が加えられる。
【００５１】
エジェクト装置１のロックされた休止位置においては、蓄力器１３がディスチャージされていて、かつ緩衝器１４が押し込まれているように、蓄力器１３と緩衝器１４との間においてバランス状態が生じている。この位置は、図４ａ〜図４ｃ、および図１２ａに示されている。ロック装置５はこの位置においてロックされている。ロック解除装置１０は、一方では接触箇所５１を介して家具本体１５の端面２９に接触しており、かつ他方では接触箇所１２を介して切換えエレメント７に接触している（図４ｃ参照）。
【００５２】
エジェクト装置１、もしくはエジェクト装置１に結合された可動の家具部分２が、閉鎖方向において閉鎖位置の背後に配置された過剰押圧位置（図５ａ〜図５ｃ参照）に移動させられると、ロック解除装置１０はロック装置５を、結合軸４８における力荷重によってロック解除する。これによって係止突起４４は係止ピン４３に対して、形状結合部および力結合部を解除するのに十分な遊びを得る。
【００５３】
継続して使用者は、エジェクト装置１、もしくはエジェクト装置１に結合された可動の家具部分２を放す（図６ａ〜図６ｃ）。これによってエジェクト蓄力器４内に貯えられた力を放出することができ、これによってスライダ３６は、直線運動を実施する。長孔９の第１のストッパ面５８に短時間後に当接する連行体８を介して、切換えエレメント７は一緒に移動させられる。これによって切換えエレメント７は、ロック解除装置１０と連結装置１１の接触箇所１２とから引き離される（特に図６ｃ参照）。同時にタイマの、切換えエレメント７に作用する蓄力器１３は圧縮され、かつ緩衝器１４は弛緩する。
【００５４】
スライダ３６は、継続して転動体１７を介して調節輪郭１８に、ひいてはエジェクトエレメント３に力を加える。これによって調節輪郭１８およびエジェクトエレメント３は、回転軸４７を中心にして旋回させられる。エジェクトエレメント３の連結装置２３，２４によって、取付け具２４、もしくは取付け具２４に結合された扉１９；２０は、回転軸線３５を中心にして旋回させられ、つまり扉１９，２０が共通の閉鎖平面に配置されている位置を起点として、扉１９，２０が互いに１８０°とは異なる角度を成している位置へと旋回させられる（特に図６ａ参照）。
【００５５】
エジェクト運動は、エジェクト蓄力器４が完全にディスチャージされることによって終了する。エジェクト装置１がこの時点において占める位置は、図７ａ〜図７ｄに示されている。特に図７ｃから分かるように、転動体１７はこの位置において、調節輪郭１８によって含まれている最小部（Minimum）６０にある。通常、使用者は可動の家具部分２をいまやさらに開放することを望んでいる。そのために使用者は、可動の家具部分２に力６１を加える。この可動の家具部分２が、フォールディングスライドドア２である場合、力荷重によってフォールディングスライドドア２は、フォールディングスライドドアが折り畳まれている位置の方向に移動させられる。これによってエジェクトエレメント３、もしくはエジェクトエレメント３に結合された調節輪郭１８は、回転軸４７を中心にしてさらに旋回させられる。調節輪郭１８は、スライダ３６の転動体１７に接触しているので、スライダ３６は、スライダ３６がロック状態において占めている出発位置の方向に戻り移動させられる。これによって継続してエジェクト蓄力器４は再びチャージされる。
【００５６】
このチャージ移動中に、戻し装置が有効になる。すなわち蓄力器１３において貯えられた力は、再び解放され、かつ切換えエレメント７は、緩衝器１４による荷重に抗して、本来の作動位置に戻り移動させられる。閉鎖位置から開放位置への可動の家具部分２のエジェクト時に作動させられる押込み防止装置（Durchdrueckschutz）は、つまり再び、エジェクト装置１のチャージ移動中に不作動になる。
【００５７】
図８ａおよび図８ｂには、エジェクト装置１もしくは可動の家具部分２の折り畳まれた状態が示されている。この位置を起点として家具部分２は、いまや家具本体１５における中空室２６内に移動することができる。エジェクト装置１は、この位置において準ロック状態にある。この状態は、エジェクト装置１が可能な限りスペースを節減して収納され（verstauen）ねばならないことによって実現される。すなわちロック解除装置１０は本来、ロック装置５がロック解除される位置にある。このことは、ロック解除装置１０が切換えエレメント７と扉２０との間において「押し潰される」ことによって実現される。いまやフォールディングスライドドア２が再び展開されると、ロック装置５はしかしながら直ちに再びロックされる。つまりスライダ３６の移動は、調節輪郭１８によって妨げられている。
【００５８】
図９には、エジェクト装置１が、図８ｂに示された折り畳まれた位置を起点として閉鎖位置への移行時における中間位置において示されている。図面から認識できるように、ロック装置５はロックされている。エジェクト装置１、もしくはエジェクト装置１に結合された扉１９，２０には、力６２が加えられる。本発明の好適な実施形態によれば、この力６２は、可動の家具部分２を自動的に閉鎖位置に移行させるように形成された駆動装置３０によって提供される。駆動装置３０は、例えば、扉１９，２０を互いに結合している中央ヒンジであってよい。しかしながらまたそれに対して択一的にまたは補足的に、別体の駆動装置が設けられていてもよい。
【００５９】
それに加えてさらになお駆動装置４９が設けられていてよく、この駆動装置４９は、ドアセットを中空室２６から中空室２６の外側における位置に移行させる。駆動装置３０は、また２部分から成っていてよく、第１の部分は、折り畳まれた位置から中間位置へのドアセットの開放屈曲を生ぜしめ、かつ第２の部分は、中間位置から最終的な閉鎖位置への移行を生ぜしめる。駆動装置３０によって提供される力は、正確に調節することができるので、可動の家具部分２は常に同じ速度で閉鎖位置へと移動する。押込み防止装置はこの場合不要である。それというのは、可動の家具部分が閉鎖位置を起点としてもはや過剰押圧位置に移動しないように、力を設定することができるからである。
【００６０】
しかしながらまた、エジェクト装置１が意図せずにトリガされてしまった場合、または使用者がロック解除直後もしくはエジェクト時にその気持ちを変えて、かつ直ちに再び可動の家具部分２を閉鎖位置に移行させたいという場合が、生じることもある。この状況はまた「緊急閉鎖」とも呼ばれる。この状況は、図１０ａ〜図１０ｃ、図１１、および図１２ｂに示されている。つまり使用者は、手によって力６３をエジェクト装置１に加える。つまりエジェクト蓄力器４は直ちに再びチャージされ、このとき転動体１７は、逆方向において調節輪郭１８に沿って戻り移動させられ、かつロック装置５は、ロック位置の方向に移動させられる。しかしながら戻し装置のタイマによって、この状況において押込み防止装置はなおアクティブである。すなわち、切換えエレメント７は不作動位置にある。つまりロック解除装置１０は、切換えエレメント７に対して接触しないように形成されている。使用者がその力６３を極めて高く加えると、可動の家具部分２は、閉鎖位置を越えてさらに過剰押圧位置に移動させられる（図１１参照）。しかしながらロック解除装置１０が切換えエレメント７に支持され得ないことによって、ロック装置５はロックされたままである。すなわちロック装置５は、ロック解除不能である。ある一定の時間経過後に、切換えエレメント７は再び作動位置に戻り移動させられる。しかしながらこのときには使用者は、通常、もはや力をエジェクト装置１に加えない。エジェクト装置１は、ロックされたままである。
【００６１】
図１３ａ〜図１３ｃには、エジェクト装置１０１の好適な第２実施形態が示されており、つまりロックされた閉鎖位置（図１３ａ）において、過剰押圧位置（図１３ｂ）において、かつロック解除直後における位置（図１３ｃ）において示されている。
【００６２】
本実施形態における主要な相違は、ロック解除装置１１０が、ロック装置５のロック解除時に、第１の扉１９および第２の扉２０、もしくは両取付け具４０，２４に結合されていることにあり、これによってロック解除装置１１０は、ロック装置５のロック解除時に両扉１９，２０相互の相対的な角度変化を検出することができる。これは例えばロープ５５であり、このロープ５５は、閉鎖位置においてロック解除装置１１０の一方の端部６９と取付け具２４における連結点５６との間において緊張状態で張られている。いまやエジェクト装置１０１が閉鎖位置から過剰押圧位置に移動させられると、ロック解除装置１１０は、ロック装置５の方向に移動させられる。ロック解除装置１１０は同時に、第１実施形態との関連において詳しく記載された切換えエレメント７に支持されているので、ロック装置５のロック解除が生ぜしめられる。つまりロック解除を実施するために、もはや家具本体１５への接触は不要である。このことには、エジェクト装置１０１を可動の家具部分２の任意の箇所に配置することができるという大きな利点がある。
【００６３】
図１４ａおよび図１４ｂには、キッチン用のオーバキャビネットとして形成された家具２７が示されており、この家具２７は、フォールディングフラップ２２によって外側に向かって閉鎖することができる。フォールディングフラップ２２は、２つの部分フラップ６５，６６から形成されており、両部分フラップ６５，６６は、中央ヒンジ３０を介して互いに枢着結合されている。さらに部分フラップ６６は、家具２７の家具本体６４に枢着結合されている。部分フラップ６５は、同様に家具本体６４に配置されていてかつ蓄力器を含む調節ユニット５０を介して移動させられる。同一若しくは共通の平面の閉鎖位置から開放屈曲された開放位置にフォールディングフラップ２２をエジェクトするために、部分フラップ６５，６６の間には、エジェクト装置１が配置されていてよい。択一的にもちろんまた、エジェクト装置１０１または２０１（後続の図面参照）を使用することも可能である。
【００６４】
本発明に係るエジェクト装置はさらに、例えば引出しのような他の家具においても使用することができる。
【００６５】
図１５ａ〜図２８ｆには、エジェクト装置２０１の好適な第３実施形態が示されている。基本原理に関してこのエジェクト装置２０１は、エジェクト装置１のように機能する。しかしながら、特に切換えエレメント２０７、および切換えエレメント２０７に結合されている部材には、一連の相違が存在する。
【００６６】
エジェクト装置２０１は、フォールディングスライドドア２の扉１９，２０の間に配置されている。このときエジェクト装置２０１は、一方では取付け具２４０を介して扉１９に結合されていて、かつ他方では取付け具２４４を介して扉２０に結合されている。扉１９，２０における逆の配置形態も可能である。
【００６７】
図１５ａには、フォールディングスライドドア２の閉鎖位置が示されている。この位置においてエジェクト装置２０１は、ロック解除装置２１０を介して家具本体１５の端面２９（図１ａ〜図１ｄ参照）に接触している。特に図１５ｄから分かるように、ロック解除装置２１０は接触レバー２８３を含んでおり、この接触レバー２８３は、旋回可能に支持された２つの固定レバー２８４，２７９を介してエジェクト装置２０１に結合されている。固定レバー２８４，２７９は、互いに鋭角を成している。固定レバー２８４，２７９は、エジェクト装置２０１において回転点２８５；２７８を中心にして旋回可能である。接触レバー２８３は、回転点２８２，２８１を介して固定レバー２８４，２７９に結合されている。回転点２８１，２８２の間隔は、回転点２７８，２８５の間隔よりも小さい。固定レバー２８４，２７９の間には、ばね２８０が緊張させられている。このばね２８０は、固定レバー２８４，２７９が互いに可能な限り小さな間隔を有するように作用し、これによって接触レバー２８３は、エジェクト装置２０１から押し離され、かつ閉鎖位置において家具本体１５の端面２９に接触している。家具本体１５の端面２９との接触レバー２８３の接触点には、符号２５１が付されている。接触レバー２８３の、接触点２５１が配置されている端部は、接触レバー２８３の、回転点２８１，２８２が設けられている端部とは、反対側に位置している。
【００６８】
ロック解除装置２１０は、別のレバー２１１を有しており、このレバー２１１は、一方では回転点２８６を介して固定レバー２８４に結合されていて、かつ他方では自由なレバー端部を有している。この自由なレバー端部は、フック形状に形成されていて、かつＵ字形の接触箇所２１２を有している。
【００６９】
エジェクト装置２０１は、さらに切換えエレメント２０７を含んでおり、この切換えエレメント２０７は、切換え軸２７６を中心にして回転可能に支持されている。切換えエレメント２０７は、回転対称に形成されている。切換えエレメント２０７は、同様にフック形状の係止突起２７７を含んでおり、これらの係止突起２７７は、ロック解除装置２１０のレバー２１１と共働することができる。この状況は図１５ｄに示されている。すなわちレバー２１１は、接触箇所２１２を介して切換えエレメント２０７に接触している。これは、切換えエレメント２０７の作動位置である。レバー２１１は、切換えエレメント２０７とのロック解除装置２１０の連結のための連結装置である。
【００７０】
ロック装置２０５は、エジェクト装置２０１の本実施形態では、回転軸２５７を中心にして旋回可能にエジェクト装置２０１に支持されている、旋回可能に支持されたレバー２１６として形成されている。ロック装置２０５は、係止突起２４４を含んでいる。この係止突起２４４は、図１５ｅに示されているように、対応する係止突起２８７内に係合することができる。係止突起２８７は、回転軸２４２を中心にして回転可能にエジェクト装置２０１に支持されている部材２０８に形成されている。この部材２０８には、回転軸２４１を中心にしてさら転動体２１７が支持されている。つまりこの転動体２１７は、回転点２４２を中心にした円形軌道上を移動することができる。
【００７１】
転動体２１７には、スライダ２３６を介してエジェクト蓄力器２０４から力が加えられる。さらに転動体２１７は、特に図１５ｆにおいて良好に見ることができる調節輪郭２１８に接触している。調節輪郭２１８は、１つの最小部２６０と隣接した２つの最大部２８９，２８８とを有している。調節輪郭２１８は、回転軸２４７を中心にしてエジェクト装置２０１に回転可能に支持されている。
【００７２】
調節輪郭２１８に回動不能に、フォーク形状のレバーとして形成されたエジェクトエレメント２０３が結合されている。調節輪郭２１８が回転軸２４７を中心にして移動すると、強制的にエジェクトエレメント２０３も一緒に移動し、かつ逆にエジェクトエレメント２０３が移動すると、調節輪郭２１８も一緒に移動する。
【００７３】
調節輪郭２１８と転動体２１７とは一緒に変換装置を形成しており、この変換装置は、エジェクト蓄力器２０４とエジェクトエレメント２０３との間に配置されている。
【００７４】
ロック装置２０５は、特に図１５ｃに示されている機構を介して、切換えエレメント２０７に結合されている。切換えエレメント２０７の切換え軸２７６には、制御輪郭２１５が回動不能に配置されている。この制御輪郭２１５は、同様に回転対称に形成されている。制御輪郭２１５には、接触子２１４が支持されていてよく、この接触子２１４は、２つの旋回レバー２７１，２７４を介してエジェクト装置２０１に結合されている。旋回レバー２７１は、一方では回転軸２７２を中心にして回転可能にエジェクト装置２０１に支持されている。他方において旋回レバー２７１は、回転点２７０を介して接触子２１４に結合されている。相応に旋回レバー２７４は、一方では回転軸２７３を中心にして回転可能にエジェクト装置２０１に支持されている。他方において旋回レバー２７４は、回転点２７５を介して接触子２１４に結合されている。エジェクト装置２０１と接触子２１４との間に配置されたばね２１３によって、接触子２１４は制御輪郭２１５の方向に押圧される。接触子２１４はさらに、ロック装置２０５に運動連結されている。
【００７５】
使用者がいまや力を閉鎖方向６においてフォールディングスライドドア２に加え、これによってフォールディングスライドドア２が、閉鎖位置から、閉鎖方向６において閉鎖位置の背後に配置された過剰押圧位置に移動すると、ロック解除装置２１０の接触レバー２８３は、エジェクト装置２０１の方向に移動させられる（図１６ａ〜図１６ｆ、特に図１６ｄ参照）。これによって継続して連結レバー２１１は、逆方向に、つまり家具本体１５の端面２９の方向に引っ張られる。レバー２１１が切換えエレメント２０７内に係合することによって、切換えエレメント２０７は回転軸２７６を中心にして回転させられる。
【００７６】
切換えエレメント２０７のこの回転運動は、同時に、制御輪郭２１５の回転をも生ぜしめる（図１６ｃ参照）。それというのは、切換えエレメント２０７および制御輪郭２１５は共通の回転軸２７６に配置されているからである。図１５ｃに示された出発位置において接触子２１４の先端は、第１の係止凹部２９１内にある。いまや制御輪郭２１５が回転させられると、制御輪郭２１５は接触子２１４を係止凹部２９１から側面２４８に沿って押し退ける。これによって接触子２１４は、制御輪郭２１５から離れる方向に移動させられる。
【００７７】
接触子２１４の移動は、継続して回転軸２５７を中心にしたロック装置２０５のレバー２１６の旋回を生ぜしめ、これによってレバー２１６は、連結部材２０８から離れる方向に移動し、かつロックは解消される。
【００７８】
図１７ａ〜図１７ｆには、最大の過剰押圧位置が示されている。ロック装置２０５のレバー２１６は、部材２０８を完全に解放している。同時に、制御輪郭２１５に接触している接触子２１４の先端は、側面２４８を越えて第２の係止凹部２９０内へと移動している。この係止凹部２９０内において接触子２１４は、安定的に保持される。これによってロック装置２０５のレバー２１６もまた、ロック解除された位置において安定的に保持される。
【００７９】
使用者がフォールディングスライドドア２をいまや完全に放すと、部材２０８は、エジェクト蓄力器２０４内に貯えられた力の影響下で、回転軸２４２を中心にして旋回することができる（図１８ａ〜図１８ｆ参照）。接触レバー２８３、およびロック解除装置２１０の、接触レバー２８３に連結された連結レバー２１１は、ばね２８０の影響下で再びその本来の位置に戻り移動する。図１５ｄと図１８ｄとの比較から分かるように、切換えエレメント２０７は、いまやしかしながら、連結レバー２１１が切換えエレメント２０７内に係合していない位置にある。言い換えれば、連結レバー２１１は接触箇所２１２において、切換えエレメント２０７に対して接触しないように形成されている。切換えエレメント２０７は、ロック装置２０５がロック解除不能である不作動位置にある。
【００８０】
さらなる一連の図１９ａ〜図１９ｆ、図２０ａ〜図２０ｆ、および図２１ａ〜図２１ｆから分かるように、エジェクト蓄力器２０４内に貯えられた力が解放されることによって、転動体２１７は調節輪郭２１８に沿って最小部２６０の方向に移動させられる。これによって調節輪郭２１８は、回転軸２４７を中心にして旋回させられる。この旋回運動は、エジェクトエレメント２０３へと続き、エジェクトエレメント２０３は、継続して扉２０を扉１９に対して相対的に旋回させる。これによって可動の家具部分２は、閉鎖位置から開放位置へと移行させられる。
【００８１】
図１９ｅと図２０ｅと図２１ｅとの比較が示すように、部材２０８は、回転軸２４２を中心にした回転運動時に、突出部２９２を介して、同様に回転軸２７６に配置された別の回転部分２０９に接触する。回転部分２０９は、同様に回転対称に形成されていて、かつ３つの羽根２５８を有しており、これらの羽根２５８は、部材２０８の突出部２９２に接触することができる。羽根２５８を備えた回転部分２０９は、部材２０８によって連行することができるストッパ輪郭である。これによって部材２０８は、連行体とも解釈することができる。回転部分２０９の回転運動は、続いて切換えエレメント２０７および制御輪郭２１５を回転運動させる。つまり全体として見れば、連行体２０８およびストッパ輪郭２０９は、切換えエレメント２０７をエジェクトエレメント２０３に連結する連結装置を形成している。
【００８２】
制御輪郭２１５の回転運動によって接触子２１４は、再び係止凹部２９０から進出移動する。切換えエレメント２０７は、回転部分２０９の回転によって確かにさらに移動しているが、しかしながら、切換えエレメント２０７が再び作動位置に位置するほどには大きく移動しない。むしろ切換えエレメント２０７は、引き続き不作動位置にある。
【００８３】
図２１ａ〜図２１ｆに示されたエジェクト装置２０１の位置において、エジェクト蓄力器２０４は完全にディスチャージ（弛緩）されている。転動体２１７は、調節輪郭２１８の最小部２６０にある。
【００８４】
この位置を起点として使用者はいまや通常、フォールディングスライドドア２をさらに折り畳むために力６１を加える。図２２ａ〜図２２ｆ、図２３ａ〜図２３ｆ、図２４ａ〜図２４ｆ、および図２５ａ〜図２５ｆには、フォールディングスライドドア２のこの折畳み運動時における複数の中間位置が示されている。
【００８５】
このとき調節輪郭２１８はいまやアクティブに、使用者によって回転軸２４７を中心にして移動させられる。これによって転動体２１７は、再び最小部２６０から外に押し退けられ、本来の位置の方向に戻り移動させられる。これによってエジェクト蓄力器２０４は再びチャージ（緊張）される。
【００８６】
同時に部材２０８は、回転軸２４２を中心にして戻り旋回させられる。接触子２１４はもはや第２の係止凹部２９０内に位置していないので、ばね２１３は再び、接触子２１４を、ひいてはロック装置２０５のレバー２１６を出発位置の方向に移動させることができる。接触子２１４は、同時にまた制御輪郭２１５を、ひいては切換えエレメント２０７を、接触子２１４の先端が再び制御輪郭２１５の本来の係止凹部２９１内に配置されていて、かつ切換えエレメント２０７が作動位置に位置するまで（図２５ｃおよび図２５ｄ参照）、さらに回転する。いまやロック装置２０５は、再びロック解除することができるようになる。
【００８７】
通常、フォールディングスライドドア２は、図２５ａ〜図２５ｆに示された位置を起点としてさらに折り畳まれ、かつ場合によっては家具本体１５における中空室２６内に収納される（図１ａ〜図１ｄ参照）。
【００８８】
次いでフォールディングスライドドア２は、再び本来の閉鎖位置に移行させられる。このときロック装置２０５の部材の位置は、もはやまったく変化しない。
【００８９】
図２６ａ〜図２６ｆ、図２７ａ〜図２７ｆ、および図２８ａ〜図２８ｆには、それとは異なる移動状況が示されている。つまり使用者は、可動の家具部分２のエジェクト時またはエジェクト直後に、家具部分２を再びアクティブに本来の閉鎖位置に移動させようと決心する（「緊急閉鎖」）。そのために使用者は、閉鎖位置の方向において家具部分２に力６３を加える。これによって転動体２１７は、調節輪郭２１８において再び本来の位置に戻るように押し退けられ、つまり、転動体２１７が反転するまでに移動した制御輪郭２１８の部分に沿って、押し戻される。エジェクト蓄力器２０４は、再び直接的にチャージされる。
【００９０】
部材２０８は、再び回転軸２４２を中心にして戻り旋回させられる。接触子２１４は、ばね２１３の影響下で制御輪郭２１５を、ひいては切換えエレメント２０７をさらに回転させる。閉鎖位置への到達時に（図２７ａ〜図２７ｆ参照）、しかしながらいまなお切換えエレメント２０７は、連結レバー２１１がなお切換えエレメント２０７内に係合していない不作動位置にある。
【００９１】
過剰押圧位置の方向におけるさらなる移動時に、確かに切換えエレメント２０７はさらに回転させられ、これによって切換えエレメント２０７は次いで作動位置に位置することになる。しかしながら同時に、ロック解除装置２１０の連結レバー２１１は、逆方向に押圧されるので、連結レバー２１１は、最初は切換えエレメント２０７内に係合することができない。つまり緊急閉鎖時における閉鎖位置から過剰押圧位置への家具部分２の移動によって、ロック装置２０５が直ちにロック解除されることはない。使用者が家具部分２を放した時に初めて、ロック解除装置２１０は再び本来の位置（図１５ｄ参照）に戻り移動し、連結レバー２１１は、切換えエレメント２０７内に係合することができる。
【００９２】
図２９ａおよび図２９ｂから分かるように、安定性を高めるために、エジェクト装置２０１の幾つかのコンポーネントは、２部分から形成されていてよい。このことは例えば、調節輪郭２１８、部材２０８、ロック装置２０５のレバー２１６、接触子２１４、固定レバー２７９，２８４、および制御輪郭２１５に対して言える。
【００９３】
さらに図面から認識できるように、エジェクトエレメント２０３は第１の端部において、調節輪郭２１８に結合されており、かつ転動体が配置されている第２の端部２２３において取付け具２２４に結合されている。転動体は、溝２５４においてスライド可能に支持されている。
【００９４】
最後に付言すると、本実施形態においても、エジェクト蓄力器２０４の内方への屈曲を阻止するための安定装置２３８が設けられている。
【００９５】
図３０ａおよび図３０ｂにおいて良好に認識できるように、制御輪郭２１５、切換えエレメント２０７、および回転部分２０９は、共通の切換え軸２７６に回動不能に配置されている。すなわちこれらの部材のうちの１つの部材の回転は、他の部材の回転を生ぜしめる。
【００９６】
さらに係止凹部２９０，２９１、制御輪郭２１５の側面２４８、切換えエレメント２０７の係止突起２７７、および回転部分２０９の羽根２５８もまた、図面から良好に認識することができる。
【図１ａ】
0006890681.tif 000002
【図１ｂ】
0006890681.tif 000003
【図１ｃ】
0006890681.tif 000004
【図１ｄ】
0006890681.tif 000005
【図２ａ】
0006890681.tif 000006
【図２ｂ】
0006890681.tif 000007
【図２ｃ】
0006890681.tif 000008
【図３】
0006890681.tif 000009
【図４ａ】
0006890681.tif 000010
【図４ｂ】
0006890681.tif 000011
【図４ｃ】
0006890681.tif 000012
【図５ａ】
0006890681.tif 000013
【図５ｂ】
0006890681.tif 000014
【図５ｃ】
0006890681.tif 000015
【図６ａ】
0006890681.tif 000016
【図６ｂ】
0006890681.tif 000017
【図６ｃ】
0006890681.tif 000018
【図７ａ】
0006890681.tif 000019
【図７ｂ】
0006890681.tif 000020
【図７ｃ】
0006890681.tif 000021
【図７ｄ】
0006890681.tif 000022
【図８ａ】
0006890681.tif 000023
【図８ｂ】
0006890681.tif 000024
【図９】
0006890681.tif 000025
【図１０ａ】
0006890681.tif 000026
【図１０ｂ】
0006890681.tif 000027
【図１０ｃ】
0006890681.tif 000028
【図１１】
0006890681.tif 000029
【図１２ａ】
0006890681.tif 000030
【図１２ｂ】
0006890681.tif 000031
【図１３ａ】
0006890681.tif 000032
【図１３ｂ】
0006890681.tif 000033
【図１３ｃ】
0006890681.tif 000034
【図１４ａ】
0006890681.tif 000035
【図１４ｂ】
0006890681.tif 000036
【図１５ａ】
0006890681.tif 000037
【図１５ｂ】
0006890681.tif 000038
【図１５ｃ】
0006890681.tif 000039
【図１５ｄ】
0006890681.tif 000040
【図１５ｅ】
0006890681.tif 000041
【図１５ｆ】
0006890681.tif 000042
【図１６ａ】
0006890681.tif 000043
【図１６ｂ】
0006890681.tif 000044
【図１６ｃ】
0006890681.tif 000045
【図１６ｄ】
0006890681.tif 000046
【図１６ｅ】
0006890681.tif 000047
【図１６ｆ】
0006890681.tif 000048
【図１７ａ】
0006890681.tif 000049
【図１７ｂ】
0006890681.tif 000050
【図１７ｃ】
0006890681.tif 000051
【図１７ｄ】
0006890681.tif 000052
【図１７ｅ】
0006890681.tif 000053
【図１７ｆ】
0006890681.tif 000054
【図１８ａ】
0006890681.tif 000055
【図１８ｂ】
0006890681.tif 000056
【図１８ｃ】
0006890681.tif 000057
【図１８ｄ】
0006890681.tif 000058
【図１８ｅ】
0006890681.tif 000059
【図１８ｆ】
0006890681.tif 000060
【図１９ａ】
0006890681.tif 000061
【図１９ｂ】
0006890681.tif 000062
【図１９ｃ】
0006890681.tif 000063
【図１９ｄ】
0006890681.tif 000064
【図１９ｅ】
0006890681.tif 000065
【図１９ｆ】
0006890681.tif 000066
【図２０ａ】
0006890681.tif 000067
【図２０ｂ】
0006890681.tif 000068
【図２０ｃ】
0006890681.tif 000069
【図２０ｄ】
0006890681.tif 000070
【図２０ｅ】
0006890681.tif 000071
【図２０ｆ】
0006890681.tif 000072
【図２１ａ】
0006890681.tif 000073
【図２１ｂ】
0006890681.tif 000074
【図２１ｃ】
0006890681.tif 000075
【図２１ｄ】
0006890681.tif 000076
【図２１ｅ】
0006890681.tif 000077
【図２１ｆ】
0006890681.tif 000078
【図２２ａ】
0006890681.tif 000079
【図２２ｂ】
0006890681.tif 000080
【図２２ｃ】
0006890681.tif 000081
【図２２ｄ】
0006890681.tif 000082
【図２２ｅ】
0006890681.tif 000083
【図２２ｆ】
0006890681.tif 000084
【図２３ａ】
0006890681.tif 000085
【図２３ｂ】
0006890681.tif 000086
【図２３ｃ】
0006890681.tif 000087
【図２３ｄ】
0006890681.tif 000088
【図２３ｅ】
0006890681.tif 000089
【図２３ｆ】
0006890681.tif 000090
【図２４ａ】
0006890681.tif 000091
【図２４ｂ】
0006890681.tif 000092
【図２４ｃ】
0006890681.tif 000093
【図２４ｄ】
0006890681.tif 000094
【図２４ｅ】
0006890681.tif 000095
【図２４ｆ】
0006890681.tif 000096
【図２５ａ】
0006890681.tif 000097
【図２５ｂ】
0006890681.tif 000098
【図２５ｃ】
0006890681.tif 000099
【図２５ｄ】
0006890681.tif 000100
【図２５ｅ】
0006890681.tif 000101
【図２５ｆ】
0006890681.tif 000102
【図２６ａ】
0006890681.tif 000103
【図２６ｂ】
0006890681.tif 000104
【図２６ｃ】
0006890681.tif 000105
【図２６ｄ】
0006890681.tif 000106
【図２６ｅ】
0006890681.tif 000107
【図２６ｆ】
0006890681.tif 000108
【図２７ａ】
0006890681.tif 000109
【図２７ｂ】
0006890681.tif 000110
【図２７ｃ】
0006890681.tif 000111
【図２７ｄ】
0006890681.tif 000112
【図２７ｅ】
0006890681.tif 000113
【図２７ｆ】
0006890681.tif 000114
【図２８ａ】
0006890681.tif 000115
【図２８ｂ】
0006890681.tif 000116
【図２８ｃ】
0006890681.tif 000117
【図２８ｄ】
0006890681.tif 000118
【図２８ｅ】
0006890681.tif 000119
【図２８ｆ】
0006890681.tif 000120
【図２９ａ】
0006890681.tif 000121
【図２９ｂ】
0006890681.tif 000122
【図３０ａ】
0006890681.tif 000123
【図３０ｂ】
0006890681.tif 000124